(57)【要約】【課題】ラベルの搬送方向の幅を小さくできるアンテナ及び当該アンテナを備えるラベル発行装置を提供すること。【解決手段】実施形態に係るラベル発行装置は、搬送機構と、アンテナと、リーダ・ライタと、を備える。搬送機構は、ＲＦＩＤタグを含むラベルを搬送する。アンテナは、一方向に長い板状に誘電体により形成された基板、基板の両主面に設けられたグランド層、及び、基板の短手方向の一方の端部に設けられた、ストリップラインを構成する伝送線路を具備し、ラベルの搬送経路に基板の短手方向の一方の端部を向けて配置された、ＲＦＩＤタグと無線通信を行う。リーダ・ライタは、アンテナに接続され、ＲＦＩＤタグとデータの読み込み及び書き込みを行う。【選択図】図１
2019135612.tif 000002
【特許請求の範囲】
【請求項１】
ＲＦＩＤタグを含むラベルを搬送する搬送機構と、
一方向に長い板状に誘電体により形成された基板、前記基板の両主面に設けられたグランド層、及び、前記基板の短手方向の一方の端部に設けられた、ストリップラインを構成する伝送線路を具備し、前記ラベルの搬送経路に前記基板の短手方向の一方の端部を向けて配置された、前記ＲＦＩＤタグと無線通信を行うアンテナと、
前記アンテナに接続され、前記ＲＦＩＤタグとデータの読み込み及び書き込みを行うリーダ・ライタと、
を備えるラベル発行装置。
【請求項２】
前記基板は、
一方の主面に前記グランド層が設けられ、他方の主面に前記伝送線路が設けられた第１基板と、
一方の主面に前記グランド層が設けられ、他方の主面が前記第１基板の前記伝送線路が設けられた主面と対向して、前記第１基板と一体に組み立てられる第２基板と、
を備える、請求項１に記載のラベル発行装置。
【請求項３】
前記伝送線路は、前記基板の中央部が前記基板の前記短手方向の一方の端部からオフセットする、請求項１に記載のラベル発行装置。
【請求項４】
前記伝送線路の前記基板の長手方向の前記オフセットする長さは、前記ＲＦＩＤタグの波長をλとしたときに、λ／１６である、請求項３に記載のラベル発行装置。
【請求項５】
一方向に長い板状に誘電体により形成された基板と、
前記基板の両主面に設けられたグランド層と、
前記基板の短手方向の一方の端部に設けられた、ストリップラインを構成する伝送線路と、
を備えるアンテナ。
【発明の詳細な説明】
【技術分野】
【０００１】
本発明の実施形態は、ラベル発行装置及びアンテナに関する。
【背景技術】
【０００２】
従前から、ＲＦＩＤ（Ｒａｄｉｏ  Ｆｒｅｑｕｅｎｃｙ  Ｉｄｅｎｔｉｆｉｃａｔｉｏｎ）タグを含むラベルを発行するラベル発行装置が知られている。このラベル発行装置は、例えば、アンテナを介してＲＦＩＤタグとデータの通信を行うことで、ＲＦＩＤタグとデータの読み取り及び書き込みをリーダ・ライタが行う。
【先行技術文献】
【特許文献】
【０００３】
【特許文献１】特開２０１０−１５２４６５号公報
【発明の概要】
【発明が解決しようとする課題】
【０００４】
本発明が解決しようとする課題は、ラベルの搬送方向の幅を小さくできるアンテナ及び当該アンテナを備えるラベル発行装置を提供することである。
【課題を解決するための手段】
【０００５】
実施形態に係るラベル発行装置は、搬送機構と、アンテナと、リーダ・ライタと、を備える。搬送機構は、ＲＦＩＤタグを含むラベルを搬送する。アンテナは、一方向に長い板状に誘電体により形成された基板、前記基板の両主面に設けられたグランド層、及び、前記基板の短手方向の一方の端部に設けられた、ストリップラインを構成する伝送線路を具備し、前記ラベルの搬送経路に前記基板の短手方向の一方の端部を向けて配置された、前記ＲＦＩＤタグと無線通信を行う。リーダ・ライタは、前記アンテナに接続され、前記ＲＦＩＤタグとデータの読み込み及び書き込みを行う。
【図面の簡単な説明】
【０００６】
【図１】第１の実施形態にかかるラベル発行装置の構成を示す説明図。
【図２】同ラベル発行装置のアンテナの構成を示す斜視図。
【図３】同アンテナの構成を示す分解斜視図。
【図４】同アンテナの構成を示す断面図。
【図５】同アンテナ及びＲＦＩＤタグの構成を示す説明図。
【図６】同ラベル発行装置に用いられるラベル用紙の構成の一部を示す平面図。
【図７】第２の実施形態のアンテナの構成を示す斜視図。
【図８】第３の実施形態のアンテナの構成を示す斜視図。
【図９】第４の実施形態のアンテナの構成を示す斜視図。
【図１０】第５の実施形態のアンテナの構成を示す斜視図。
【発明を実施するための形態】
【０００７】
（第１の実施形態）
以下、第１の実施形態に係るアンテナ１６を用いたラベル発行装置１について、図１乃至図６を用いて説明する。
【０００８】
ラベル発行装置１は、無線通信媒体であるＲＦＩＤタグ１１１を含むラベル１１０を帯状の台紙１２０に複数配置されたロール状のラベル用紙１００を搬送方向Ｃに沿って搬送し、ラベル１１０に印字するとともに、ＲＦＩＤタグ１１１にデータを書き込む装置である。
【０００９】
（ラベル用紙１００）
先ず、ラベル用紙１００について説明する。ラベル用紙１００は、図５及び図６に示すように、ＲＦＩＤタグ１１１を含むラベル１１０と、複数のラベル１１０が設けられた台紙１２０と、を備え、台紙１２０が捲回されることでロール状に構成される。
【００１０】
複数のラベル１１０は、台紙１２０に、台紙１２０の長手方向に一定の間隔で貼付されている。ＲＦＩＤタグ１１１は、搬送方向Ｃでラベル１１０の二次側の端部に設けられる。ＲＦＩＤタグ１１１は、ラベル１１０の台紙１２０側の面、即ち、ラベル１１０の台紙１２０へ接着される接着面に設けられる。ＲＦＩＤタグ１１１は、例えば、インレイ１１１ａ上に整合回路(ループ部)を含むタグ・アンテナ１１１ｂとＩＣチップ１１１ｃが配置されることで構成される。ＲＦＩＤタグ１１１は、バッテリを持たないパッシブタグである。
【００１１】
ＲＦＩＤタグ１１１のラベル１１０への取り付け位置は、ラベル用紙１００の種類によって適宜設定される。例えば、図６に示す例では、ラベル用紙１００は、ラベル１１０の搬送方向Ｃと同方向の全長Ｌ０に対し、搬送方向Ｃにおいてラベル１１０の先端、換言すると搬送方向Ｃの二次側の端部から全長よりも短い距離Ｌ１（Ｌ１＜Ｌ０）の範囲にＲＦＩＤタグ１１１が配置される。また、ＲＦＩＤタグ１１１のタグ・アンテナ１１１ｂの長手方向が搬送方向Ｃに対して直交するように、ＲＦＩＤタグ１１１がラベル１１０に配置される。
【００１２】
隣接する２枚のラベル１１０、１１０にそれぞれ付されたＲＦＩＤタグ１１１、１１１の間隔は、ラベル１１０の全長Ｌ０及び隣接するラベル１１０、１１０間の距離ｄの和となり、一定間隔で台紙１２０に配置される。
【００１３】
台紙１２０は、例えば、長手方向で設けられたラベル１１０に隣接する位置に、台紙１２０の長手方向に直交する幅方向に渡って設けられたマーク１２０ａを有する。マーク１２０ａは、例えば、搬送方向Ｃの長さが、ラベル１１０、１１０間の距離ｄよりも短い長さに設定される。
【００１４】
（ラベル発行装置１）
次に、本実施形態のラベル発行装置１について説明する。図１に示すように、ラベル発行装置１は、搬送ローラ１１と、プラテンローラ１２と、モータ１３と、マークセンサ１４と、リーダ・ライタ１５と、アンテナ１６と、印字ヘッド１７と、ヘッドドライバ１８と、操作パネル１９と、通信インターフェース（以下、Ｉ／Ｆとする。）２０と、センサ信号入力部２１と、メモリ２２と、プロセッサ２３と、を備えている。
【００１５】
ラベル発行装置１は、搬送ローラ１１及びプラテンローラ１２により、ロール状のラベル用紙１００を一方向に延びる搬送経路上を搬送方向Ｃに沿って搬送する。
【００１６】
搬送ローラ１１は、例えば、一対のローラ１１ａ、１１ｂにより搬送経路に沿ってラベル用紙１００を搬送方向Ｃに搬送する。
【００１７】
プラテンローラ１２は、印字ヘッド１７と対向して設けられる。プラテンローラ１２は、回転することで、搬送経路に沿ってラベル用紙１００を搬送方向Ｃに搬送する。プラテンローラ１２は、搬送経路において、搬送ローラ１１及びマークセンサ１４の二次側に配置される。
【００１８】
モータ１３は、搬送ローラ１１及びプラテンローラ１２と機械的に接続される。モータ１３は、搬送ローラ１１及びプラテンローラ１２を回転させる。具体例として、モータ１３は、搬送ローラ１１の一方のローラ１１ａ及びプラテンローラ１２を図１中の矢印に示す方向に回転させることで、ラベル用紙１００を搬送方向Ｃに搬送する。
【００１９】
マークセンサ１４は、搬送方向Ｃに対向して設けられる。マークセンサ１４は、搬送方向Ｃにおいて搬送ローラ１１の二次側に配置される。マークセンサ１４は、例えば、台紙１２０のマーク１２０ａを光学的に検出する。マークセンサ１４は、搬送方向Ｃ上を搬送される台紙１２０の表面を搬送方向Ｃに沿って走査し、マーク１２０ａの搬送方向Ｃに対して二次側にある縁を検知するとオンとする信号を、マーク１２０ａの搬送方向Ｃに対して一次側にある縁を検知するとオフする信号をプロセッサ２３に出力する。
【００２０】
リーダ・ライタ１５は、アンテナ１６と電気的に接続される。リーダ・ライタ１５は、アンテナ１６を制御し、ＲＦＩＤタグ１１１とデータの無線通信を行うために、無変調波をアンテナ１６から放射するととともに、搬送波を振幅変調する。リーダ・ライタ１５は、このようにアンテナ１６から無変調波として放射してＲＦＩＤタグ１１１に電力を供給するとともに、放射する搬送波を振幅変調する。これにより、リーダ・ライタ１５は、ＲＦＩＤタグ１１１でデータを復調し、アンテナ１６の負荷を変化させることでＲＦＩＤタグ１１１から返送された応答波を、アンテナ１６を介して受信することで、ＲＦＩＤタグ１１１のデータを読み込むか、又は、ＲＦＩＤタグ１１１にデータを書き込む。
【００２１】
具体例としてリーダ・ライタ１５によるＲＦＩＤタグ１１１の読み込み及び書き込みを説明すると、先ず、リーダ・ライタ１５がＲＦＩＤタグ１１１と無線通信を行うために無変調波をアンテナ１６から放射し、ＲＦＩＤタグ１１１が、この無変調波を受信することで起動する。続いて、リーダ・ライタ１５が通信データを符号化した信号によりアンテナ１６から放射される搬送波を振幅変調すると、ＲＦＩＤタグ１１１は振幅変調された通信データを復調し、アンテナの負荷を変化させることで応答波を返送する。リーダ・ライタ１５は、アンテナ１６を介してこの応答波を受信することで、ＲＦＩＤタグ１１１のデータを取得する。なお、リーダ・ライタ１５によりＲＦＩＤタグ１１１にデータを書き込む場合も、同様である。
【００２２】
アンテナ１６は、誘電体で形成され、一方向に長い板状の基板３１と、基板３１の短手方向の一方の端部に設けられた伝送線路３２と、基板３１の両主面に設けられたグランド層３３と、伝送線路３２の一端に接続された同軸コネクタ３４と、伝送線路３２の他端に接続された終端抵抗３５と、を備えている。
【００２３】
このようなアンテナ１６は、グランド層３３が基板３１の両主面に設けられるとともに、短手方向の一方の端部に伝送線路３２が設けられることで、基板３１の短手方向の一方の端部が開放される。
【００２４】
アンテナ１６は、搬送方向Ｃにおいて、プラテンローラ１２及び印字ヘッド１７の一次側であって、且つ、搬送ローラ１１及びマークセンサ１４の二次側に設けられる。アンテナ１６は、基板３１の伝送線路３２が設けられた短手方向の一方の端部が搬送方向Ｃに対向して配置される。
【００２５】
具体例として、アンテナ１６は、基板３１の主面が搬送方向Ｃに対して６０°から１２０°の範囲の角度となる姿勢で配置され、より好ましくは、搬送方向Ｃと基板３１が直交する姿勢となるように、基板３１の主面が搬送方向Ｃに対して９０°となる姿勢で配置される。
【００２６】
基板３１は、ラベル１１０の搬送方向Ｃに直交する方向の幅と同程度又は若干大きい幅に構成される。基板３１は、誘電体により形成される一方向に長い板状の第１基板３１ａと、誘電体により形成され、第１基板３１ａと同形状に形成された第２基板３１ｂと、を備えている。基板３１は、第１基板３１ａ及び第２基板３１ｂの主面が対向して一体に組み立てられることで構成される。例えば、基板３１は、第１基板３１ａ及び第２基板３１ｂがそれぞれの対向する主面が対向する姿勢で、ボルト３６等によって一体に固定されることで構成される。
【００２７】
伝送線路３２は、ストリップラインを構成する。伝送線路３２は、基板３１の短手方向の一方の端部であって、且つ、基板３１の内部に設けられる。具体例として、伝送線路３２は、例えば、第１基板３１ａの第２基板３１ｂと対向する主面であって、且つ、第１基板３１ａの短手方向の一方の端部に設けられる。伝送線路３２は、プリント配線により構成される。また、例えば、伝送線路３２は、基板３１の長手方向の一方の端部側から他方の端部側に渡って、直線状に構成される。
【００２８】
例えば、伝送線路３２は、第１基板３１ａ及び第２基板３１ｂの比誘電率が４．６、厚さが各１．６ｍｍに設定された場合には、伝送線路３２の長手方向に直交する幅が約１．４ｍｍに設定され、これにより、インピーダンスが５０Ωとなる。
【００２９】
グランド層３３は、基板３１の両主面に設けられる。基板３１の両主面に設けられるグランド層３３は、導通する。
【００３０】
例えば、基板３１が第１基板３１ａ及び第２基板３１ｂを組み合わせて構成される場合には、グランド層３３は、第１基板３１ａ及び第２基板３１ｂのそれぞれの一方の主面の全面に設けられる。また、グランド層３３は、第１基板３１ａ及び第２基板３１ｂの対向するそれぞれの他方の主面に、伝送線路３２を避けて設けられ、具体例として、各基板３１ａ、３１ｂの短手方向の他方の端部側に設けられる。また、これら第１基板３１ａ及び第２基板３１ｂの各主面に設けられたグランド層３３は、第１基板３１ａ及び第２基板３１ｂに設けられたスルーホールやボルト３６等によって導通する。
【００３１】
同軸コネクタ３４は、リーダ・ライタ１５に接続される。終端抵抗３５は、例えば、抵抗値が５０Ωに設定される。
【００３２】
印字ヘッド１７は、プラテンローラ１２と、搬送方向Ｃを挟んで対向して配置される。印字ヘッド１７は、ヘッドドライバ１８に接続されている。印字ヘッド１７は、搬送されたラベル１１０の印刷面、即ち、ＲＦＩＤタグ１１１が設けられる面とは反対側の面に印刷する。
【００３３】
ヘッドドライバ１８は、印字ヘッド１７を駆動する。操作パネル１９は、使用者の指令を入力可能に構成される。通信Ｉ／Ｆ２０は、ＲＦＩＤタグ１１１に書き込むデータやラベル１１０に印刷するデータ等をラベル発行装置１に送信する上位機器と接続するインターフェース機能を有する。
【００３４】
センサ信号入力部２１は、マークセンサ１４を含む各種センサからの信号を入力する。ここで、各種センサには、ラベル用紙１００を交換するためにラベル発行装置１の開閉される部材、例えばカバー、扉、蓋などの開閉を検出するための開閉センサが含まれる。開閉センサは、例えば部材の閉塞または開放によってオンする光学式センサが適用される。あるいは、部材の閉塞と開放とによってオン、オフが切り替わる機械式スイッチでもよい。即ち、開閉センサは、搬送されるＲＦＩＤタグ１１１を交換するために開閉される部材の閉塞または開放を検出する検出手段を構成する。
【００３５】
メモリ２２は、ラベル発行装置１を制御するために要するプログラム等が記憶される。プロセッサ２３は、例えば、ＣＰＵ（Central Processing Unit）である。プロセッサ２３は、モータ１３、リーダ・ライタ１５、ヘッドドライバ１８、操作パネル１９、通信Ｉ／Ｆ２０、センサ信号入力部２１及びメモリ２２と電気的に接続される。プロセッサ２３は、センサ信号入力部２１から入力された信号及びメモリ２２に記憶されたプログラム等に従って各構成を制御することにより、ラベル発行装置１としての機能を実現させる。例えば、プロセッサ２３は、リーダ・ライタ１５を制御することで、ＲＦＩＤタグ１１１の読み込み及び書き込みを制御する。
【００３６】
次に、このようなアンテナ１６の製造方法について、以下説明する。先ず、第１基板３１ａの一方の主面の全面にグランド層３３が設けられる。また、第１基板３１ａの他方の主面の短手方向の一端に伝送線路３２が設けられ、そして、第１基板３１ａの他方の主面の短手方向の他端側であって、且つ、当該他方の主面の伝送線路３２を除く領域に、伝送線路３２と離間してグランド層３３が設けられる。
【００３７】
また、第２基板３１ｂの一方の主面の全面にグランド層３３が設けられるとともに、第２基板３１ｂの他方の主面であって、且つ、第１基板３１ａの他方の主面に設けられたグランド層３３と対向する領域に、グランド層３３が設けられる。
【００３８】
次いで、第１基板３１ａに設けられた伝送線路３２の一端と接続される同軸コネクタ３４を第１基板３１ａ及び第２基板３１ｂの一方に設けるとともに、伝送線路３２の他端と接続される終端抵抗３５を、第１基板３１ａ及び第２基板３１ｂの他方に設ける。
【００３９】
次いで、第１基板３１ａ及び第２基板３１ｂを、それぞれの他方の主面が当接し、これら他方の主面に設けられたグランド層３３が当接するように組み合わせ、ボルト３６によって第１基板３１ａ及び第２基板３１ｂを固定する。これにより、アンテナ１６が製造される。
【００４０】
このように構成されたラベル発行装置１によれば、アンテナ１６がＲＦＩＤタグ１１１と通信をするために開放された部位が、板状の基板３１の短手方向で一端側となる。このため、アンテナ１６を薄く、且つ、小型とすることができる。また、ラベル１１０の搬送方向におけるアンテナ１６の幅寸法は、アンテナ１６の厚みとなり、このアンテナ１６の厚みを薄くできることから、搬送方向Ｃにおけるアンテナ１６を配置するために要する空間を低減することが可能となる。このため、アンテナ１６をプラテンローラ１２及び印字ヘッド１７の近傍に配置することが可能となり、結果、搬送方向におけるラベル発行装置１の形状を小さくできる。
【００４１】
また、アンテナ１６は、構成が簡素な構成でよく、また、伝送線路３２及びグランド層３３が設けられた第１基板３１ａと、グランド層３３が設けられた第２基板３１ｂを一体に組み立てる簡単な構成で製造できる。
【００４２】
上述したように本実施形態に係るアンテナ１６及びラベル発行装置１によれば、ラベル１１０の搬送方向の幅を小さくできる。
【００４３】
（第２の実施形態）
次に、第２の実施形態に係るラベル発行装置１に用いられるアンテナ１６Ａについて、図７を用いて説明する。なお、第２の実施形態に係るアンテナ１６Ａの構成のうち、上述した第１の実施形態に係るアンテナ１６と同様の構成には同一符号を付し、その詳細な説明は省略する。
【００４４】
アンテナ１６Ａは、ラベル発行装置１に用いられる。図７に示すように、アンテナ１６Ａは、基板３１と、基板３１の短手方向の一方の端部に設けられた伝送線路３２Ａと、グランド層３３と、伝送線路３２Ａの一端に接続された同軸コネクタ３４と、伝送線路３２Ａの他端に接続された終端抵抗３５と、を備えている。即ち、アンテナ１６Ａは、第１の実施形態に係るアンテナ１６と、伝送線路３２Ａの構成が異なる。
【００４５】
伝送線路３２Ａは、ストリップラインを構成する。伝送線路３２Ａは、基板３１の短手方向の一方の端部であって、且つ、基板３１の内部に設けられる。具体例として、伝送線路３２Ａは、例えば、第１基板３１ａの第２基板３１ｂと対向する主面であって、且つ、第１基板３１ａの短手方向の一方の端部に設けられる。伝送線路３２Ａは、プリント配線により構成される。また、例えば、伝送線路３２Ａは、基板３１の長手方向の中央部に配置され、直線状に構成される。伝送線路３２Ａの長さは、例えば、基板３１の長手方向の長さの半分程度の長さに構成される。
【００４６】
このように構成されたアンテナ１６Ａによれば、上述したアンテナ１６と同様の効果を奏し、ラベル１１０の搬送方向の幅を小さくできる。
【００４７】
（第３の実施形態）
次に、第３の実施形態に係るラベル発行装置１に用いられるアンテナ１６Ｂについて、図８を用いて説明する。なお、第３の実施形態に係るアンテナ１６Ｂの構成のうち、上述した第１の実施形態に係るアンテナ１６及び第２の実施形態に係るアンテナ１６Ａと同様の構成には同一符号を付し、その詳細な説明は省略する。
【００４８】
アンテナ１６Ｂは、ラベル発行装置１に用いられる。図８に示すように、アンテナ１６Ｂは、基板３１と、基板３１の短手方向の一方の端部に設けられた伝送線路３２Ｂと、グランド層３３と、伝送線路３２Ｂの一端に接続された同軸コネクタ３４と、伝送線路３２Ｂの他端に接続された終端抵抗３５と、を備えている。即ち、アンテナ１６Ｂは、第１の実施形態に係るアンテナ１６及び第２の実施形態に係るアンテナ１６Ａと、伝送線路３２Ｂの構成が異なる。
【００４９】
伝送線路３２Ｂは、ストリップラインを構成する。伝送線路３２Ｂは、基板３１の短手方向の一方の端部であって、且つ、基板３１の内部に設けられる。具体例として、伝送線路３２Ｂは、例えば、第１基板３１ａの第２基板３１ｂと対向する主面であって、且つ、第１基板３１ａの短手方向の一方の端部に設けられる。伝送線路３２Ｂは、プリント配線により構成される。また、例えば、伝送線路３２Ｂは、基板３１の長手方向の一方側に配置され、直線状に構成される。伝送線路３２Ｂの長さは、例えば、基板３１の長手方向の長さの半分程度の長さに構成される。
【００５０】
このように構成されたアンテナ１６Ｂによれば、上述したアンテナ１６、１６Ａと同様の効果を奏し、ラベル１１０の搬送方向の幅を小さくできる。
【００５１】
（第４の実施形態）
次に、第４の実施形態に係るラベル発行装置１に用いられるアンテナ１６Ｃについて、図９を用いて説明する。なお、第４の実施形態に係るアンテナ１６Ｃの構成のうち、上述した第１の実施形態に係るアンテナ１６と同様の構成には同一符号を付し、その詳細な説明は省略する。
【００５２】
アンテナ１６Ｃは、ラベル発行装置１に用いられる。図９に示すように、アンテナ１６Ｃは、基板３１と、基板３１の短手方向の一方の端部に設けられた伝送線路３２Ｃと、グランド層３３と、伝送線路３２Ｃの一端に接続された同軸コネクタ３４と、伝送線路３２の他端に接続された終端抵抗３５と、を備えている。即ち、アンテナ１６Ｃは、第１の実施形態に係るアンテナ１６と、伝送線路３２Ｃの構成が異なる。
【００５３】
伝送線路３２Ｃは、ストリップラインを構成する。伝送線路３２Ｃは、基板３１の短手方向の一方の端部であって、且つ、基板３１の内部に設けられる。具体例として、伝送線路３２Ｃは、例えば、第１基板３１ａの第２基板３１ｂと対向する主面であって、且つ、第１基板３１ａの短手方向の一方の端部に設けられる。伝送線路３２Ｃは、プリント配線により構成される。
【００５４】
伝送線路３２Ｃは、基板３１の長手方向の一端側から他端側に渡って設けられ、基板３１の長手方向の中央部において、換言すると、搬送方向Ｃを搬送されたＲＦＩＤタグ１１１のタグ・アンテナ１１１ｂの整合回路と対向する位置において、基板３１の短手方向の一方の端部側から他方の端部側に向かって、搬送方向Ｃから、即ち、基板３１短手方向の一方の端部からオフセットして構成される。ここで伝送線路３２Ｃの基板３１の長手方向においてオフセットする長さＬは、波長をλとしたときに、例えば、約λ／１６に設定される。
【００５５】
例えば、伝送線路３２Ｃは、図９に示すように、基板３１の中央部において、基板３１の短手方向で一方の端部側から他方の端部に向かって直交する方向に曲折し、さらに、基板３１の長手方向に沿うように、直交する方向に曲折する形状に構成される。
【００５６】
このように構成されたアンテナ１６Ｃによれば、上述したアンテナ１６と同様の効果を奏し、ラベル１１０の搬送方向の幅を小さくできる。加えて、アンテナ１６Ｃは、搬送方向Ｃを搬送するＲＦＩＤタグ１１１から伝送線路３２をオフセットさせることで、ＲＦＩＤタグ１１１と伝送線路３２Ｃの結合を弱くすることができることから、ＲＦＩＤタグ１１１及び伝送線路３２Ｃが強く結合することによる交信不良を低減することができる。
【００５７】
（第５の実施形態）
次に、第５の実施形態に係るラベル発行装置１に用いられるアンテナ１６Ｄについて、図１０を用いて説明する。なお、第５の実施形態に係るアンテナ１６Ｄの構成のうち、上述した第１の実施形態に係るアンテナ１６及び第４の実施形態に係るアンテナ１６Ｃと同様の構成には同一符号を付し、その詳細な説明は省略する。
【００５８】
アンテナ１６Ｄは、ラベル発行装置１に用いられる。図１０に示すように、アンテナ１６Ｃは、基板３１と、基板３１の短手方向の一方の端部に設けられた伝送線路３２Ｄと、グランド層３３と、伝送線路３２Ｄの一端に接続された同軸コネクタ３４と、伝送線路３２の他端に接続された終端抵抗３５と、を備えている。即ち、アンテナ１６Ｄは、第１の実施形態に係るアンテナ１６と、伝送線路３２Ｄの構成が異なる。
【００５９】
伝送線路３２Ｄは、ストリップラインを構成する。伝送線路３２Ｄは、基板３１の短手方向の一方の端部であって、且つ、基板３１の内部に設けられる。具体例として、伝送線路３２Ｄは、例えば、第１基板３１ａの第２基板３１ｂと対向する主面であって、且つ、第１基板３１ａの短手方向の一方の端部に設けられる。伝送線路３２Ｄは、プリント配線により構成される。また、例えば、伝送線路３２Ｃは、基板３１の長手方向の一端側から他端側に渡って設けられる。伝送線路３２Ｃは、基板３１の長手方向の中央部において、換言すると、搬送経路を搬送されたＲＦＩＤタグ１１１のタグ・アンテナ１１１ｂの整合回路と対向する位置において、基板３１の短手方向の一方の端部側から他方の端部側に向かって、オフセットして構成される。
【００６０】
例えば、伝送線路３２Ｄは、図１０に示すように、基板３１の長手方向の中央部で最も搬送経路、即ち、基板３１の短手方向の一方の端部からオフセットするように、基板３１の長手方向の両端部から基板３１の長手方向の中央部に向かって、基板３１の長手方向に対して傾斜して延びる。
【００６１】
ここで伝送線路Ｄの基板３１の長手方向のオフセットする長さＬは、波長をλとしたときに、例えば、約λ／１６に設定される。
【００６２】
このように構成されたアンテナ１６Ｄによれば、上述したアンテナ１６及び１６Ｃと同様の効果を奏し、ラベル１１０の搬送方向の幅を小さくできるとともに、ＲＦＩＤタグ１１１及び伝送線路３２Ｄが強く結合することによる交信不良を低減することができる。
【００６３】
なお、本発明は上記実施形態そのままに限定されるものではなく、実施段階ではその要旨を逸脱しない範囲で構成要素を変形して具体化できる。
【００６４】
例えば、上述した例では、アンテナ１６は、上述のように、第１基板３１ａ及び第２基板３１ｂをボルト３６で組み立てることで伝送線路３２及びグランド層３３が設けられた基板３１を有する構成を説明したがこれに限定されない。例えば、アンテナ１６は、多層プリント配線基板を用いても良い。この場合、アンテナ１６は、３層基板であってもよく、また、一般的な多層プリント配線基板の層数と同じように、４層基板を用いて、第２層に伝送線路を配置し、第３層を未配線とする構成でも良い。
【００６５】
また、第１基板３１ａ及び第２基板３１ｂは、一体にすることができれば、接着剤で固定する構成であってもよい。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１…ラベル発行装置、１１…搬送ローラ、１１ａ…ローラ、１１ｂ…ローラ、１２…プラテンローラ、１３…モータ、１４…マークセンサ、１５…リーダ・ライタ、１６、１６Ａ、１６Ｂ、１６Ｃ、１６Ｄ…アンテナ、１７…印字ヘッド、１８…ヘッドドライバ、１９…操作パネル、２０…通信インターフェース、２１…センサ信号入力部、２２…メモリ、２３…プロセッサ、３１…基板、３１ａ…第１基板、３１ｂ…第２基板、３２、３２Ａ、３２Ｂ、３２Ｃ、３２Ｄ…伝送線路、３３…グランド層、３４…同軸コネクタ、３５…終端抵抗、３６…ボルト、１００…ラベル用紙、１１０…ラベル、１１１…タグ、１１１ａ…インレイ、１１１ｂ…タグ・アンテナ、１１１ｃ…チップ、１２０…台紙、１２０ａ…マーク。
【図１】
2019135612.tif 000003
【図２】
2019135612.tif 000004
【図３】
2019135612.tif 000005
【図４】
2019135612.tif 000006
【図５】
2019135612.tif 000007
【図６】
2019135612.tif 000008
【図７】
2019135612.tif 000009
【図８】
2019135612.tif 000010
【図９】
2019135612.tif 000011
【図１０】
2019135612.tif 000012